(57)【要約】【課題】低コスト化を図ることができる揮散装置を提供する。【解決手段】薬剤揮散用の揮散体７１の内嵌部７２を、容器体１１の口部３２の内周面５５に沿って配設し、その内側の挿通穴８１に、薬剤噴霧用のポンプ１３４を挿入する。これにより、ポンプ１３４の外周面１７１と口部３２の内周面５５との間に前記内嵌部７２を配設し、ポンプ１３４の外周面１７１と口部３２の内周面５５間に形成される間隙を、前記内嵌部７２で閉塞する。【選択図】図１
2008136511.tif 000002
【特許請求の範囲】
【請求項１】
容器体内の薬剤をポンプで吸い上げて噴出する噴出機能と、前記薬剤を揮散体で吸い上げて揮散する揮散機能とを備えた揮散装置において、
前記揮散体を前記容器体の口部から内部へ挿入し、前記口部の内側に位置する前記揮散体の内嵌部を前記口部の内周面に沿って配設して当該内嵌部の内側に挿通穴を形成する一方、
前記ポンプを前記挿通穴から内部へ挿入し、当該ポンプの外周面と前記口部の内周面との間に前記揮散体の前記内嵌部を配置したことを特徴とする揮散装置。
【請求項２】
前記揮散体を前記容器体にセットした状態で前記内嵌部を前記口部より外側へ突出させたことを特徴とする請求項１記載の揮散装置。
【請求項３】
前記揮散体を、前記口部に内嵌する前記内嵌部と、該内嵌部の下縁より延出した延出部とで構成する一方、
前記口部に前記内嵌部を内嵌した状態で該内嵌部の下縁に当接するストッパを前記容器体に設けたことを特徴とする請求項１又は２記載の揮散装置。
【発明の詳細な説明】
【技術分野】
【０００１】
本発明は、芳香剤等の薬剤を揮散する機能を備えた揮散装置に関する。
【背景技術】
【０００２】
従来、芳香剤を揮散する際には、揮散装置が用いられている。
【０００３】
この揮散装置の容器としては、薬剤を噴霧する機能と揮散する機能とを備えたものが知られている（例えば、特許文献１）。
【０００４】
この容器においては、容器本体の口部に閉止蓋が螺着されており、該閉止蓋の中央部には、凸部が形成されている。該凸部には、前記容器本体内の薬剤を吸い上げる為のポンプが挿入された状態で固定されており、該ポンプの上端部に設けられた噴霧ノズルを押し下げることによって、前記薬剤を噴霧できるように構成されている。
【０００５】
また、前記凸部の外周に形成された段差部には、リング状の発散部が配設されており、該発散部には、吸い上げ部が接続されている。この吸い上げ部は、前記閉止蓋の偏芯位置に設けられた小穴に挿入されており、その下端部は、前記容器本体の底部に達するように構成されている。
【０００６】
これにより、前記容器本体内の前記薬剤を前記発散部に吸い上げ、当該発散部から揮散できるように構成されている。
【特許文献１】特開平９−３０８８４０号公報
【発明の開示】
【発明が解決しようとする課題】
【０００７】
しかしながら、このような従来の揮散装置にあっては、前記容器本体の口部を閉鎖する閉止蓋に挿通穴が設けられており、この挿通穴に、前記ポンプの吸い上げパイプが挿通されている。
【０００８】
このため、前記挿通穴に前記吸い上げパイプが隙間無く内嵌するように、両者の成型精度を高めなければならなかった。
【０００９】
また、前記閉止蓋には、前記挿通穴の他に前記吸い上げ部を挿入する為の小穴を偏芯位置に設けなければならず、構造の複雑化を招いていた。
【００１０】
これらは、低コスト化の阻害要因となっていた。
【００１１】
本発明は、このような従来の課題に鑑みてなされたものであり、低コスト化を図ることができる揮散装置を提供することを目的とするものである。
【課題を解決するための手段】
【００１２】
前記課題を解決するために本発明の請求項１の揮散装置にあっては、容器体内の薬剤をポンプで吸い上げて噴出する噴出機能と、前記薬剤を揮散体で吸い上げて揮散する揮散機能とを備えた揮散装置において、前記揮散体を前記容器体の口部から内部へ挿入し、前記口部の内側に位置する前記揮散体の内嵌部を前記口部の内周面に沿って配設して当該内嵌部の内側に挿通穴を形成する一方、前記ポンプを前記挿通穴から内部へ挿入し、当該ポンプの外周面と前記口部の内周面との間に前記揮散体の前記内嵌部を配置した。
【００１３】
すなわち、前記容器体の口部には、前記揮散体の内嵌部が当該口部の内周面に沿って配設されており、その内側に形成された挿通穴に前記ポンプが挿入されている。
【００１４】
これにより、当該ポンプの外周面と前記口部の内周面との間には、前記揮散体の前記内嵌部が配設され、前記ポンプの外周面と前記口部の内周面との間に形成された間隙は、前記揮散体の前記内嵌部で閉塞される。
【００１５】
また、請求項２の揮散装置においては、前記揮散体を前記容器体にセットした状態で前記内嵌部を前記口部より外側へ突出させた。
【００１６】
すなわち、前記揮散体を前記容器体にセットした状態において、前記揮散体の前記内嵌部が前記口部より外側へ突出されており、前記内嵌部は、外部との接触面積が高められる。
【００１７】
さらに、請求項３の揮散装置では、前記揮散体を、前記口部に内嵌する前記内嵌部と、該内嵌部の下縁より延出した延出部とで構成する一方、前記口部に前記内嵌部を内嵌した状態で該内嵌部の下縁に当接するストッパを前記容器体に設けた。
【００１８】
すなわち、前記揮散体を前記容器体にセットして、該容器体の口部に前記揮散体の内嵌部を内嵌した状態では、前記容器体に設けられたストッパが前記内嵌部の下縁に当接する。
【００１９】
これにより、前記揮散体は、この状態において下方へ移動が規制される。
【発明の効果】
【００２０】
以上説明したように本発明の請求項１の揮散装置にあっては、前記容器体に前記揮散体と前記ポンプとをセットした状態において、該ポンプの外周面と前記容器体の口部の内周面との間に形成される間隙を前記揮散体の内嵌部で閉塞することができる。
【００２１】
このため、容器体の口部を閉鎖する閉止蓋の挿通穴にポンプを挿通する構造上、該ポンプとの間に隙間ができないように、該ポンプ及び前記挿通穴を精度良く形成しなければならなかった従来と比較して、前記ポンプの外形寸法や前記口部の内径寸法に成型誤差が生じた場合であっても、これを前記内嵌部で吸収し、隙間を埋めることができる。
【００２２】
また、前記容器体内から薬剤を吸い上げる前記揮散体の挿通穴を、前記口部の他に別途開設しなければならなかった従来と比較して、構造の簡素化を図ることができる。
【００２３】
これらによって、製造コストを抑えることができ、低コスト化を図ることができる。
【００２４】
また、請求項２の揮散装置においては、前記揮散体を前記容器体にセットした状態で、前記揮散体の前記内嵌部が前記口部より外側へ突出するため、前記内嵌部と外部との接触面積を高めることができる。
【００２５】
これにより、前記揮散体で吸い上げた薬剤の揮散面積を増大することができる。
【００２６】
さらに、請求項３の揮散装置では、前記揮散体を前記容器体にセットして該容器体の口部に前記揮散体の内嵌部を内嵌した状態において、前記容器体に設けられたストッパを前記内嵌部の下縁に当接することができる。
【００２７】
これにより、このセット状態において前記揮散体の下方へ移動を規制することができ、揮散体の不用意な脱落を防止することができる。
【発明を実施するための最良の形態】
【００２８】
以下、本発明の一実施の形態を図に従って説明する。図１は、本実施の形態にかかる揮散装置１を示す図であり、該揮散装置１は、消臭剤、芳香剤、防虫剤、殺虫剤等の液状の薬剤２を噴出する機能と、揮散する機能とを備えている。
【００２９】
この揮散装置１は、容器体１１と、該容器体１１の上部に取り付けられたスプレー構成部１２とによって構成されている。
【００３０】
前記容器体１１は、直方体形状に形成されており、当該容器体１１の内部には前記薬剤２が収容されている。前記容器体１１の周面２１上部には、係止溝２２が全周に渡って凹設されており、天面２３の中央部には、上方へ突出した円筒部２４が一体形成されている。該円筒部２４には、前記容器体１１の内部と外部とを連通する開口部２５が上方へ向けて開口しており、当該円筒部２４の外周部には、販売時に閉鎖キャップを螺着する為の雄ねじ２６が形成されている。
【００３１】
前記円筒部２４には、内キャップ３１が内嵌された状態で装着されており、該内キャップ３１と前記容器体１１の前記円筒部２４とによって口部３２が形成されている。
【００３２】
前記内キャップ３１は、図２にも示すように、円筒状の筒部４１と、該筒部４１の上縁より側方へ延出した鍔部４２とによって構成されており、前記筒部４１を前記円筒部２４に内嵌した状態で、前記鍔部４２が前記円筒部２４の上端に当接して、その挿入量を規制できるように構成されている。
【００３３】
前記筒部４１は、前記鍔部４２側の基部５１と、該基部５１より縮径した先端側の縮径部５２とからなり、前記基部５１の外面５３には、一対の外凸条５４，５４が平行して周方向に延設されている。また、前記基部５１の内周面５５には、一対の内凸条５６，５６が平行して周方向に延設されている。
【００３４】
前記縮径部５２の内周面５５には、縦長の押圧部６１が内側へ向けて突設されている。この押圧部６１は、上方から下方へ向かうに従って、その突出量が大きくなるように構成されており、当該押圧部６１は、その下端面６２が内周面５５に対して起立するように構成されている。そして、前記縮径部５２の下縁部には、当該内キャップ３１の中心部へ向けて延出したストッパ６３が複数箇所に一体形成されている（一カ所のみ図示）。
【００３５】
この内キャップ３１が前記円筒部２４に装着されてなる前記口部３２には、図１に示したように、前記薬剤２を吸い上げて揮散する揮散体７１が挿入されている。該揮散体７１は、前記口部３２に挿入したセット状態において、該口部３２の内側に位置する内嵌部７２と、該内嵌部７２の下縁７３より前記容器体１１の底面７４へ向けて延出した延出部７５とで構成されている。
【００３６】
前記内嵌部７２は、前記口部３２の前記内周面５５に沿って配置されており、該内周面５５に沿った円筒状に形成されている。これにより、当該内嵌部７２の内側には、挿通穴８１が形成されている。
【００３７】
前記揮散体７１は、フェルトや不織布や濾紙等の吸水性素材で構成されており、厚み方向へ弾性変形する弾力性を有している。
【００３８】
図３は、前記揮散体７１を展開した状態を示す図であり、当該揮散体７１は、板状に形成された前記吸水性素材が鉤状に切断されて形成されている。この展開状態において、前記内嵌部７２は横長形状に形成されており、当該内嵌部７２の外面９１には、上下に延在する複数のスリット９２，・・・が等間隔をおいて並設されている。前記内嵌部７２は、前記各スリット９２，・・・によって複数のブロック９３，・・・に分割されており、各ブロック９３，・・・は、当該内嵌部７２の内面９４側（図４参照）で連設されている。
【００３９】
これにより、図４に示すように、長方形状に形成された前記内嵌部７２を丸めることによって、円筒状に形成できるように構成されており、この状態で、図１に示したように、前記口部３２の内周面５５に沿って配設できるように構成されている。
【００４０】
また、この内嵌部７２を前記口部３２にセットした状態では、前記内キャップ３１に設けられた前記押圧部６１が当該内嵌部７２の外面９１に食い込むように構成されており、該内嵌部７２に食い込んだ前記押圧部６１の前記下端面６２によって当該内嵌部７２の上動を防止できるように構成されている。
【００４１】
このとき、前記内嵌部７２の前記下縁７３が前記内キャップ３１の前記ストッパ６３に当接することで、当該内嵌部７２の下方への移動が規制されるように構成されており、この規制状態において、前記内嵌部７２の上端部が前記口部３２より外側上方へ突出するように、当該内嵌部７２の高さ寸法が設定されている。
【００４２】
前記内嵌部７２を構成する図３中左端のブロック９３からは、その下縁７３の一部より前記延出部７５が下方へ向けて延出しており、当該ブロック９３の下縁７３は、前記ストッパ６３に支持される支持部１０１を構成している。これにより、前記延出部７５の下方へのズレ落ちを防止するとともに、該延出部７５側面の延長上に前記スリット９２が位置しないように構成することで、該スリット９２を境とした前記延出部７５の不用意な切断を防止できるように構成されている。
【００４３】
そして、前記口部３２より突出した前記内嵌部７２の上端には、図１に示したように、補助用の揮散板１１１が載置されており、該揮散板１１１も前記揮散体７１と同様に、フェルトや不織布や濾紙等の吸水性素材で構成されている。
【００４４】
これにより、前記容器体１１の前記薬剤２を、前記延出部７５で前記内嵌部７２まで吸い上げて前記口部３２より突出した当該内嵌部７２の部位から揮散するとともに、該内嵌部７２の薬剤２を前記揮散板１１１に吸い上げることによって当該揮散板１１からも揮散できるように構成されている。
【００４５】
前記スプレー構成部１２は、図１に示したように、直方体形状に形成されており、該スプレー構成部１２は、前記容器体１１の上部に嵌着される嵌合部１２１を備えている。
【００４６】
該嵌合部１２１は、下方へ開口した矩形容器状に形成されており、前記容器体１１の上部に外嵌する下縁部には、前記容器体１１の周面２１に形成された前記係止溝２２に係止される係止部１２２が各面に突設されている。この嵌合部１２１の側面には、複数の揮散口１２３，・・・が開設されており、前記揮散体７１及び前記揮散板１１１から揮散した前記薬剤２を外部へ放出できるように構成されている。
【００４７】
前記嵌合部１２１の上部には、縮径した小径部１３１が形成されており、該小径部１３１の天面１３２には、円筒状のポンプ保持部１３３が一体形成されている。該ポンプ保持部１３３の内側には、前記容器体１１内の薬剤２を吸い上げるポンプ１３４が固定されており、該ポンプ１３４の下端部は、前記天面１３２より下方へ向けて延出している。
【００４８】
このポンプ１３４の下端部には、下方へ向かうに従って縮径したテーパ部１４１が形成されており、該テーパ部１４１の下端からは、前記薬剤２を吸い上げる為のパイプ１４２が前記容器体１１の前記底面７４へ向けて延出している。
【００４９】
前記ポンプ保持部１３３には、中間部材１５１を介してノズル１５２が上下動自在に支持されており、該ノズル１５２の基端部は、前記ポンプ１３４に接続されている。このノズル１５２は、矩形容器状の操作キャップ１５３の天面１５４に固定されており、該操作キャップ１５３の下端部は、前記嵌合部１２１の前記小径部１３１に上下動自在に外嵌している。
【００５０】
これにより、前記操作キャップ１５３を押し下げた際には、該操作キャップ１５３と共に前記ノズル１５２が下動して前記ポンプ１３４を作動させ、前記パイプ１４２より吸い上げた前記薬剤２を前記ノズル１５２先端の噴霧口１６１から噴霧できるように構成されている。
【００５１】
このスプレー構成部１２より下方へ延出した前記ポンプ１３４の下端部は、前記口部３２に内嵌した前記揮散体７１の前記内嵌部７２内側の前記挿通穴８１から前記容器体１１内部へ挿入されており、当該ポンプ１３４の外周面１７１と前記口部３２の前記内周面５５との間には、前記揮散体７１の前記内嵌部７２が挟持された状態で配設されている。
【００５２】
この状態において、前記内嵌部７２が厚み方向に弾性変形することによって、前記内嵌部７２の内面９４が前記ポンプ１３４の外周面１７１に密着するとともに、前記内嵌部７２の外面９１が前記口部３２の内周面５５に密着するように前記内嵌部７２の厚み寸法が設定されており、前記ポンプ１３４の外周面１７１と前記口部３２の内周面５５との間に形成された間隙は、前記揮散体７１の前記内嵌部７２で閉塞されるように構成されている。
【００５３】
以上の構成にかかる本実施の形態において、前記容器体１１の口部３２には、前記揮散体７１の内嵌部７２が当該口部３２の内周面５５に沿って配設されており、その内側に形成された挿通穴８１に前記ポンプ１３４が挿入されている。
【００５４】
これにより、当該ポンプ１３４の外周面１７１と前記口部３２の内周面５５との間には、前記揮散体７１の前記内嵌部７２が配設されており、前記ポンプ１３４の外周面１７１と前記口部３２の内周面５５との間に形成された間隙を前記内嵌部７２で閉塞することで、薬剤２の液漏れを防止することができる。
【００５５】
このため、容器体の口部を閉鎖する閉止蓋の挿通穴にポンプを挿通する構造上、該ポンプの外周部に隙間ができないように、該ポンプ及び前記挿通穴を精度良く形成しなければならなかった従来と比較して、前記ポンプ１３４の外形寸法や前記口部３２の内径寸法に成型誤差が生じた場合であっても、これを前記内嵌部７２で吸収し、形成された隙間を埋めることができる。
【００５６】
また、前記容器体から薬剤を吸い上げる前記揮散体の挿通穴を、前記口部の他に別途開設しなければならなかった従来と比較して、構造の簡素化を図ることができる。
【００５７】
これらによって、製造コストを抑えることができ、低コスト化を図ることができる。
【００５８】
また、前記揮散体７１を前記容器体１１にセットした状態において、前記揮散体７１の前記内嵌部７２が前記口部３２より外側へ突出するため、前記内嵌部７２と外部との接触面積を高めることができる。
【００５９】
これにより、前記揮散体７１で吸い上げた薬剤２の揮散面積を増大することができ、前記薬剤２の揮散効率を高めることができる。
【００６０】
さらに、前記揮散体７１を前記容器体１１にセットして、該容器体１１の前記口部３２に前記揮散体７１の前記内嵌部７２を内嵌した状態において、前記容器体１１の前記内キャップ３１に設けられた前記ストッパ６３を、前記内嵌部７２の下縁７３に当接することができる。
【００６１】
これにより、このセット状態において、前記揮散体７１の下方へ移動を規制することができ、当該揮散体７１の不用意な脱落を防止することができる。
【００６２】
なお、本実施の形態にあっては、板状に形成された内嵌部７２を円筒状に丸めて使用する揮散体７１を用いた場合を例に挙げて説明したが、これに限定されるものでは無い。
【００６３】
例えば図５の（ａ）に示すように、延出部７５の先端に円筒状の内嵌部７２が設けられた揮散体７１を利用しても良い。
【００６４】
また、図５の（ｂ）に示すように、前述した前記内嵌部７２と前記延出部７５とが一体形成され、上端から下端まで連続する円筒状に形成された揮散体７１を用いることもできる。
【図面の簡単な説明】
【００６５】
【図１】本発明の一実施の形態を示す一部断面図である。
【図２】同実施の形態の内キャップを示す一部断面図である。
【図３】同実施の形態の揮散体を展開した状態を示す側面図である。
【図４】同実施の形態の揮散体を示す斜視図である。
【図５】同実施の形態で用いることができる他の揮散体を示す図で、（ａ）は、その一例を示す斜視図であり、（ｂ）は、他の例を示す斜視図である。
【符号の説明】
【００６６】
１    揮散装置
２    薬剤
１１    容器体
３２    口部
５５    内周面
６３    ストッパ
７１    揮散体
７２    内嵌部
７３    下縁
７５    延出部
８１    挿通穴
１３４    ポンプ
１５２    ノズル
１７１    外周面
【図１】
2008136511.tif 000003
【図２】
2008136511.tif 000004
【図３】
2008136511.tif 000005
【図４】
2008136511.tif 000006
【図５】
2008136511.tif 000007